(57)【要約】【課題】使用者がイオンによる効果を享受できない可能性を低減できるヘアケア装置を提供する。【解決手段】ヘアケア装置は、ヒータ(３)と、ヒータ(３)で温められた温風が流れる温風流路(５)と、イオンを発生させるイオン発生部(４１，４２)と、このイオン発生部(４１，４２)に接続された回路基板(４４)とを有するイオン発生器(４)と、回路基板(４４)に対向するように設けられ、温風よりも冷たい冷風が流れる冷風流路(６)と、イオン発生部(４１，４２)の上流側に設けられ、冷風流路(６)からの冷風と温風流路(５)からの温風とが混ざり合う混合部(１３)とを備える。【選択図】図１
2014079287.tif 000002
【特許請求の範囲】
【請求項１】
ヒータと、
上記ヒータで温められた温風が流れる温風流路と、
イオンを発生させるイオン発生部と、このイオン発生部に接続された回路基板とを有するイオン発生器と、
上記回路基板に対向するように設けられ、上記温風よりも冷たい冷風が流れる冷風流路と、
上記イオン発生部の上流側に設けられ、上記冷風流路からの冷風と上記温風流路からの温風とが混ざり合う混合部と
を備えることを特徴とするヘアケア装置。
【請求項２】
請求項１に記載のヘアケア装置において、
上記温風流路を流れる温風を上記混合部へ案内する案内部を備えることを特徴とするヘアケア装置。
【請求項３】
請求項２に記載のヘアケア装置において、
上記案内部は、上記温風流路を形成する温風流路形成部の一部で構成されていることを特徴とするヘアケア装置。
【請求項４】
請求項１から３までのいずれか一項に記載のヘアケア装置において、
上記冷風流路と上記混合部との間に、下流側に乱流を発生させる乱流発生部が設けられていることを特徴とするヘアケア装置。
【発明の詳細な説明】
【技術分野】
【０００１】
本発明はヘアケア装置に関する。
【背景技術】
【０００２】
従来、ヘアケア装置としては、ヒータと、このヒータを経由する温風流路と、ヒータを経由しない冷風流路と、冷風流路に配置されたイオン発生部とを備えたものがある(例えば特許第３４０２３２３号公報(特許文献１)参照)。
【０００３】
上記イオン発生部はマイナスイオンを発生させる。このマイナスイオンは、冷風流路を流れる冷風と共に、第１の吐出口から外部へ出る。
【０００４】
また、上記温風流路を流れる風は、ヒータを経由して温風となった後、第１の吐出口とは別に設けられた第２の吐出口から外部へ出る。
【０００５】
すなわち、上記従来のヘアケア装置は、第１の吐出口からは、マイナスイオンを含んだ冷風が吹き出る一方、第２の吐出口からは、冷風より温かい温風が吹き出るようになっている。
【先行技術文献】
【特許文献】
【０００６】
【特許文献１】特許第３４０２３２３号公報
【発明の概要】
【発明が解決しようとする課題】
【０００７】
ところで、上記従来のヘアケア装置において、使用者が温風だけを使いたくても、第１の吐出口から冷風が吹き出る。このため、使用者が髪を乾かす場合、第２の吐出口からの温風のみが髪に当たるように、第１，第２の吐出口の向きを調整する可能性がある。
【０００８】
したがって、上記従来のヘアケア装置には、マイナスイオンが髪に当たらず、使用者がマイナスイオンによる効果を享受できない可能性があるという問題がある。
【０００９】
そこで、本発明の課題は、使用者がイオンによる効果を享受できない可能性を低減できるヘアケア装置を提供することにある。
【課題を解決するための手段】
【００１０】
上記課題を解決するため、本発明のヘアケア装置は、
ヒータと、
上記ヒータで温められた温風が流れる温風流路と、
イオンを発生させるイオン発生部と、このイオン発生部に接続された回路基板とを有するイオン発生器と、
上記回路基板に対向するように設けられ、上記温風よりも冷たい冷風が流れる冷風流路と、
上記イオン発生部の上流側に設けられ、上記冷風流路からの冷風と上記温風流路からの温風とが混ざり合う混合部と
を備えることを特徴としている。
【００１１】
一実施形態のヘアケア装置は、
上記温風流路を流れる温風を上記混合部へ案内する案内部を備える。
【００１２】
一実施形態のヘアケア装置では、
上記案内部は、上記温風流路を形成する温風流路形成部の一部で構成されている。
【００１３】
一実施形態のヘアケア装置では、
上記冷風流路と上記混合部との間に、下流側に乱流を発生させる乱流発生部が設けられている。
【発明の効果】
【００１４】
本発明のヘアケア装置によれば、ヒータで温められた温風が流れる温風流路と、その温風よりも冷たい冷風が流れる冷風流路と、冷風流路からの冷風と温風流路からの温風とが混ざり合う混合部とを備えるので、冷風流路からの冷風の温度が混合部で上がり、冷風流路からの冷風が直接使用者に当たらない。したがって、上記冷風流路からの冷風が直接当たるのを回避する行動を使用者が取らないようにすることができる。その結果、使用者がイオンによる効果を享受できない可能性を低減できる。
【００１５】
また、上記混流部はイオン発生部の上流側に設けられているので、イオン発生部を通過する風の量が増大する。したがって、上記イオン発生部が発生したイオンの到達距離を伸ばすことができる。
【００１６】
また、上記冷却流路は回路基板に対向するように設けられているので、冷風が冷風流路を流れると、この冷風で回路基板を冷却することができる。
【図面の簡単な説明】
【００１７】
【図１】図１は本発明の実施形態１のロールブラシドライヤの模式図である。
【図２】図２は上記ヘアケア装置の仕切部材および案内部材の模式図である。
【図３】図３は本発明の実施形態２のロールブラシドライヤの模式図である。
【図４】図４は上記ロールブラシの仕切部材の模式斜視図である。
【図５】図５は本発明の実施形態３のロールブラシドライヤの模式図である。
【図６】図６は上記ロールブラシの仕切部材の模式斜視図である。
【発明を実施するための形態】
【００１８】
以下、本発明のヘアケア装置を図示の実施の形態により詳細に説明する。
【００１９】
〔実施形態１〕
図１は、本発明の実施形態１のロールブラシドライヤの構成を説明するための模式図である。
【００２０】
上記ロールブラシドライヤは、吸入口１１および吐出口１２が設けられたドライヤ本体１と、吐出口１２に着脱可能なロールブラシ本体(図示せず)とを備えている。
【００２１】
上記ドライヤ本体１は、使用者が把持する把持部を兼ねている。このドライヤ本体１内には、吸入口１１から吸い込んだ外気を吐出口１２側に送るための送風装置２と、送風装置２からの外気が通過するヒータ３とが配置されている。
【００２２】
上記送風装置２は、軸流ファン２１と、この軸流ファン２１を回転駆動するモータ２２とで構成されている。
【００２３】
上記ロールブラシ体は、筒体と、この筒体の外周面の全体にわたって設けられたブラシ部とを有している。また、筒体の外周面には、吐出口１２からの風が吹き出る複数の貫通孔が設けられている。
【００２４】
また、上記ドライヤ本体１内には、温風流路５、冷風流路６および混合部１３が設けられている。この温風流路５には、送風装置２からの風の一部が流入してヒータ３で温められる。また、冷風流路６には送風装置２からの風の他の一部が流入する。この風の他の一部はヒータ３で温められずに冷風流路６を流れる。すなわち、温風流路５では、ヒータ３で温められた温風が流れる一方、冷風流路６では、温風よりも冷たい冷風が流れる。
【００２５】
上記温風流路５は筒形状の仕切部材７で形成されている。この仕切部材７の吸入口１１側の端部内にはヒータ３が収容されている。一方、仕切部材７の吐出口１２側の端部内には筒形状の案内部材８の一部が挿入されている。なお、案内部材８は案内部の一例である。
【００２６】
上記冷風流路６は、ドライヤ本体１の一部と仕切部材７の一部とで形成されている。この冷風流路６の一部はイオン発生器４の回路基板４４の一部に対向している。
【００２７】
また、上記ドライヤ本体１内にはイオン発生器４も配置されている。このイオン発生器４は、特許第３６８０１２１号に記載されているイオン発生器４と同様に構成されたものである。より具体的に言うと、イオン発生器４は、正電極４１、負電極４２、誘導電極４３および回路基板４４を有している。なお、正電極４１および負電極４２はイオン発生部の一例である。
【００２８】
上記正電極４１および負電極４２は、それぞれ、先端部分が先鋭に尖らせられた丸棒状の電極(針型電極)である。
【００２９】
上記誘導電極４３には、２つの略円形の開口(図示せず)が形成されている。正電極４１は上記２つの開口の一方の略中心に配置されている。また、負電極４２は上記２つの開口の他方の略中心に配置されている。
【００３０】
上記回路基板４４は正電極４１、負電極４２および誘導電極４３に接続されている。また、回路基板４４には、高電圧を発生させる回路が設けられている。
【００３１】
上記誘導電極４３は接地電位に接続され、正電極４１には正極の高電圧が印加され、負電極４２には負極の高電圧が印加される。正電極４１および負電極４２のそれぞれに高電圧が印加されると、プラズマ放電が発生する。このプラズマ放電により、空気中の酸素および水蒸気が電離して、Ｈ＋(Ｈ２Ｏ)ｍ（ｍは任意の自然数)と、Ｏ２−(Ｈ２Ｏ)ｎ(ｎは任意の自然数)とが発生する。なお、上記Ｈ＋(Ｈ２Ｏ)ｍおよびＯ２−(Ｈ２Ｏ)ｎはイオンの一例である。
【００３２】
また、上記正電極４１および負電極４２の上流側には混合部１３が設けられている。この混合部１３は、冷風流路６からの冷風と温風流路５からの温風とが混ざり合う空間である。
【００３３】
また、上記ドライヤ本体１には第１，第２のスイッチ９，１０が取り付けられている。使用者が第１のスイッチ９を操作することにより、Ｈ＋(Ｈ２Ｏ)ｍおよびＯ２−(Ｈ２Ｏ)ｎが発生するようになったり、発生しないようになったりする。一方、使用者が第２のスイッチ１０を操作することにより、ヒータ３およびモータ２２をオンにしたり、ヒータ３はオフにする一方、モータ２２をオンにしたりする。すなわち、第２のスイッチ１０の操作で、冷風を使用するか、温風を使用するかを選択できるようになっている。
【００３４】
また、上記送風装置２とヒータ３との間には、ヒータ３およびモータ２２を制御するための回路基板(図示せず)が配置されている。
【００３５】
図２は上記仕切部材７および案内部材８の模式斜視図である。
【００３６】
上記案内部材８のイオン発生器４側の部分には、仕切部材７の軸方向に対して傾斜する傾斜面８ａが設けられている。この傾斜面８ａは、案内部材８の吸入口１１側の端部の外周面８ｂと、案内部材８の吐出口１２側の端部の外周面８ｃとを接続している。この案内部材８の吐出口１２側の端部の外径は、仕切部材７の吐出口１２側の端部の外径よりも若干小さく設定されている。また、案内部材８の吸入口１１側の端部の外径は、案内部材８の吐出口１２側の端部の外径よりも小さく設定されている。このように、案内部材８の上記軸方向の中央部は、吸入口１１側から吐出口１２側に進むにしたがって径が拡大するに形成されている。なお、案内部材８の吸入口１１側の端部の外周面８ｂと、案内部材８の吐出口１２側の端部の外周面８ｃは、上記軸方向と略平行な面である。
【００３７】
上記温風流路５を流れる温風の一部は、案内部材８の吸入口１１側の端部の外周面８ｂと、案内部材８の上記軸方向の中央部の傾斜面８ａとで、混合部１３へ案内されるようになっている。なお、上記温風の他の一部は、案内部材８内の空間を通過して、吐出口１２へ向かって流れる。
【００３８】
上記構成のロールブラシドライヤでは、第１のスイッチ９の操作で、Ｈ＋(Ｈ２Ｏ)ｍおよびＯ２−(Ｈ２Ｏ)ｎを発生させると共に、第２のスイッチ１０の操作で、ヒータ３およびモータ２２をオンにすると、軸流ファン２１の回転により、外気が吸入口１１からドライヤ本体１内に入って、冷風流路６および温風流路５を通過する。このとき、温風流路５を通過する外気がヒータ３で加熱されて、温風が生成される。この温風の一部が、案内部材８の吸入口１１側の端部の外周面８ｂと、案内部材８の上記軸方向の中央部の傾斜面８ａとで、混合部１３へ案内される。これにより、上記温風の一部が、混合部１３で、冷風流路６からの冷風と混ざり合う。その結果、上記冷風よりも温かい風が吐出口１２から吹き出る。したがって、冷風流路６からの冷風が直接使用者に当たらないので、冷風流路６からの冷風が直接当たるのを回避する行動を使用者がとらないようにすることができる。したがって、使用者がＨ＋(Ｈ２Ｏ)ｍおよびＯ２−(Ｈ２Ｏ)ｎによる効果を享受できない可能性を低減できる。
【００３９】
上記Ｈ＋(Ｈ２Ｏ)ｍおよびＯ２−(Ｈ２Ｏ)ｎによる効果としては、髪の櫛通り、指通りをスムーズにすることができる効果や、髪に臭いを分解および除去できる効果などがある。
【００４０】
また、上記混合部１３は正電極４１および負電極４２の上流側に設けられているので、正電極４１および負電極４２を通過する風の量が増大する。したがって、正電極４１および負電極４２によるＨ＋(Ｈ２Ｏ)ｍおよびＯ２−(Ｈ２Ｏ)ｎを遠くまで飛ばすことができる。
【００４１】
また、上記温風よりも冷たい冷風が冷風流路６を流れた場合、冷風流路６の一部はイオン発生器４の回路基板４４の一部に対向しているので、イオン発生器４の回路基板４４を冷風で冷却することができる。すなわち、イオン発生器４の回路基板４４の空冷効果が得られる。
【００４２】
また、上記仕切部材７の吐出口１２側の端部内に案内部材８の一部を挿入していることによって、案内部材８の吸入口１１側の端部の外周面８ｂと、案内部材８の上記軸方向の中央部の傾斜面８ａとで、温風流路５の温風の一部を混合部１３に案内できるので、冷風流路６からの冷風と温風流路５からの温風とを確実に混合することができる。
【００４３】
上記実施形態では、混合部１３の下流側において、Ｈ＋(Ｈ２Ｏ)ｍおよびＯ２−(Ｈ２Ｏ)ｎが発生するようになっていたが、Ｈ＋(Ｈ２Ｏ)ｍ以外の正イオンと、Ｏ２−(Ｈ２Ｏ)ｎ以外の負イオンとの少なくとも一方が発生するようにしてもよい。
【００４４】
上記実施形態では、冷風流路６の一部が、イオン発生器４の回路基板４４の一部に対向していたが、イオン発生器４の回路基板４４の全部に対向するようにしてもよい。あるいは、冷風流路６の全部が、イオン発生器４の回路基板４４の全部に対向するようにしてもよい。
【００４５】
〔実施形態２〕
図３は、本発明の実施形態２のロールブラシドライヤの構成を説明するための模式図である。また、図３において、図１に示した実施形態１の構成部と同一構成部は、実施形態１の構成部の参照番号と同一参照番号を付している。
【００４６】
上記ロールブラシは、上記実施形態１の仕切部材７とは形状が異なる仕切部材２０７がドライヤ本体１内に配置されている点が上記実施形態１のヘアドライヤと異なっている。なお、仕切部材２０７は温風流路形成部の一例である。
【００４７】
なお、図３の２０５は、仕切部材２０７によって形成される温風流路である。
【００４８】
図４は上記仕切部材２０７の模式斜視図である。
【００４９】
上記仕切部材２０７は、例えば金属製の筒体の一部を内部側に屈曲させて得られる。すなわち、仕切部材２０７は、周壁に設けられた矩形状の開口２０７ａと、この開口２０７ａの縁の一辺に連なる案内部２０７ｂとを有している。この案内部２０７ｂは、開口２０７ａの縁の一辺から上記筒体の軸方向に対して傾斜する方向に延びた後、屈曲して上記軸方向に略平行な方向に延びている。これにより、案内部２０７ｂは温風流路２０５の温風の一部を混合部１３に案内できるようになっている。
【００５０】
本実施形態２のロールブラシは、上記実施形態１のロールブラシと同様の作用効果を奏し、その上、仕切部材２０７の一部の案内部２０７ｂが温風流路２０５の温風の一部を混合部１３に案内するので、部品点数の増加を防いで、製造コストを低減できる。
【００５１】
〔実施形態３〕
図５は、本発明の実施形態３のロールブラシドライヤの構成を説明するための模式図である。また、図５において、図１に示した実施形態１の構成部と同一構成部は、実施形態１の構成部の参照番号と同一参照番号を付している。
【００５２】
上記ロールブラシは、上記実施形態１の仕切部材７とは形状が異なる仕切部材３０７がドライヤ本体１内に配置されている点が上記実施形態１のヘアドライヤと異なっている。
【００５３】
なお、図５の３０５は、仕切部材３０７によって形成される温風流路である。
【００５４】
図６は上記仕切部材３０７の模式斜視図である。
【００５５】
上記仕切部材３０７は、筒体３７１と、この筒体３７１の吐出口１２側の端部に連なるフランジ３７２とを有している。このフランジ３７２は冷風流路６と混合部１３との間に配置される。また、フランジ３７２には、周方向に略等間隔あけて貫通孔３７２ａを複数設けている。なお、フランジ３７２は乱流発生部の一例である。
【００５６】
本実施形態３のロールブラシでは、冷風流路６の冷風が複数の貫通孔３７２ａを通過すると、フランジ３７２の下流側に乱流が発生する。その結果、冷風流路６からの冷風と温風流路３０５からの温風とが、混合部１３で容易に混ざり合うことができる。
【００５７】
また、本実施形態３のロールブラシが、上記実施形態１のロールブラシと同様の作用効果を奏することは言うまでもない。
【００５８】
本発明の具体的な実施形態１〜３について説明したが、本発明は上記実施形態１〜３に限定されるものではなく、本発明の範囲内で種々変更して実施することができる。例えば、上記実施形態１の変形例を実施形態２，３に適用したものを、本発明の一実施形態としてもよい。勿論、実施形態１〜３の記載内容や周知技術を適宜組み合わせたものを、本発明の一実施形態としてもよい。
【００５９】
すなわち、本発明のヘアケア装置は、
ヒータ３と、
上記ヒータ３で温められた温風が流れる温風流路５，２０５，３０５と、
イオンを発生させるイオン発生部４１，４２と、このイオン発生部４１，４２に接続された回路基板４４とを有するイオン発生器４と、
上記回路基板４４に対向するように設けられ、上記温風よりも冷たい冷風が流れる冷風流路６と、
上記イオン発生部４１，４２の上流側に設けられ、上記冷風流路６からの冷風と上記温風流路５，２０５，３０５からの温風とが混ざり合う混合部１３と
を備えることを特徴としている。
【００６０】
上記構成によれば、上記混合部１３において、冷風流路６からの冷風と温風流路５，２０５，３０５からの温風とが混ざり合うので、冷風流路６からの冷風の温度が混合部１３で上がり、冷風流路６からの冷風が直接使用者に当たらない。したがって、上記冷風流路６からの冷風が直接当たるのを回避する行動を使用者が起こさないようにすることができる。その結果、使用者がイオンによる効果を享受できない可能性を低減できる。
【００６１】
また、上記混合部１３はイオン発生部４１，４２の上流側に設けられているので、イオン発生部４１，４２を通過する風の量が増大する。したがって、上記イオン発生部４１，４２が発生したイオンの到達距離を伸ばすことができる。すなわち、上記イオンを遠くまで飛ばすことができる。
【００６２】
また、上記冷風が冷風流路６を流れると、冷風流路６が回路基板４４に対向するように設けられているので、その冷風で回路基板４４を冷却することができる。
【００６３】
一実施形態のヘアケア装置は、
上記温風流路５，２０５を流れる温風を上記混合部１３へ案内する案内部８，２０７ｂを備える。
【００６４】
上記実施形態によれば、上記温風流路５，２０５を流れる温風を混合部１３へ案内する案内部８，２０７ｂを備えるので、冷風流路６からの冷風と温風流路５，２０５からの温風とを確実に混合することができる。
【００６５】
一実施形態のヘアケア装置では、
上記案内部２０７ｂは、上記温風流路２０５を形成する温風流路形成部２０７の一部で構成されている。
【００６６】
上記構成によれば、上記案内部２０７ｂは、温風流路２０５を形成する温風流路形成部３０７の一部で構成されているので、部品点数の増加を防いで、製造コストを低減できる。
【００６７】
一実施形態のヘアケア装置では、
上記冷風流路６と上記混合部１３との間に、下流側に乱流を発生させる乱流発生部３７２が設けられている。
【００６８】
上記構成によれば、上記冷風流路６と混合部１３との間に、下流側に乱流を発生させる乱流発生部３７２を設けることにより、冷風流路６からの冷風と温風流路３０５からの温風とが、混合部１３で容易に混ざり合うことができる。
【符号の説明】
【００６９】
１  ドライヤ本体
２  送風装置
３  ヒータ
４  イオン発生器
５，２０５，３０５  温風流路
６  冷風流路
７，２０７，３０７  仕切部材
８  案内部材
１３  混合部
４１  正電極
４２  負電極
４３  誘導電極
４４  回路基板
２０７ａ  開口
２０７ｂ  案内部
３７１  筒体
３７２  フランジ
３７２ａ  貫通孔
【図１】
2014079287.tif 000003
【図２】
2014079287.tif 000004
【図３】
2014079287.tif 000005
【図４】
2014079287.tif 000006
【図５】
2014079287.tif 000007
【図６】
2014079287.tif 000008